(57)【特許請求の範囲】
【請求項１】
屋根部の軒側端部に、横桟部材の内側面を固定し、該横桟部材の下面に壁部の上端部を当接配置すると共に、
前記屋根部の軒側端部における前記横桟部材の上部に、屋根部の内部空間を外部へ開放可能な屋根用換気口部を設けた軒先構造において、
前記屋根部の軒側端部の周辺に、前記壁部の内部空間を、前記屋根用換気口部またはその近傍へ連通可能な上下連通部を設け、
該上下連通部が、前記横桟部材、または、前記屋根部の軒側端部と前記横桟部材の内側面との間の部分に設けられたことを特徴とする軒先構造。
【請求項２】
前記横桟部材に設けられる前記上下連通部が、上下方向へ延びる連通孔であり、
前記屋根部の軒側端部と前記横桟部材の内側面との間の部分に設けられる前記上下連通部が、スペーサによって形成されたものであることを特徴とする請求項１記載の軒先構造。
【請求項３】
前記横桟部材の外側面に、軒樋または該軒樋を覆う化粧カバーのうちの少なくとも一方を直接または間接的に取付けたことを特徴とする請求項１または２記載の軒先構造。
【請求項４】
屋根部の軒側端部に、横桟部材の内側面を固定し、該横桟部材の下面に壁部の上端部を当接配置すると共に、
前記屋根部の軒側端部における前記横桟部材の上部に、屋根部の内部空間を外部へ開放可能な屋根用換気口部を設けた軒先構造において、
前記屋根部の軒側端部の周辺に、前記壁部の内部空間を、前記屋根用換気口部またはその近傍へ連通可能な上下連通部を設け、
前記横桟部材の外側面に、軒樋または該軒樋を覆う化粧カバーのうちの少なくとも一方を直接または間接的に取付けたことを特徴とする軒先構造。
【請求項５】
前記上下連通部に、水滴の通過が不能で且つ湿気の通過が可能な防水透湿材を設置したことを特徴とする請求項１ないし請求項４のいずれか１項に記載の軒先構造。
【請求項６】
請求項１ないし請求項５のいずれか１項に記載の軒先構造を施工する軒先施工方法であって、
前記屋根部の軒側端部の周辺に上下連通部を設けて、前記壁部の内部空間を前記屋根用換気口部またはその近傍へ連通可能とすることを特徴とする軒先施工方法。
【発明の詳細な説明】
【技術分野】
【０００１】
この発明は、壁換気機能を向上させた軒先構造および軒先施工方法に関するものである。
【背景技術】
【０００２】
住宅などの建物には、一般に、屋根が設けられている（例えば、特許文献１参照）。
【０００３】
このような屋根の軒先構造には、屋根部の軒側端部に対して横桟部材を固定すると共に、この横桟部材の下面に壁部の上端部を当接配置するようにしたものが存在している。
【０００４】
そして、上記した屋根部の軒側端部における横桟部材の上部に、屋根部の内部空間を外部へ開放可能な屋根用換気口部を設けて、屋根部の内部空間の換気（屋根換気）を行わせるようにすることも行われている。
【先行技術文献】
【特許文献】
【０００５】
【特許文献１】特許第３９３０２７２号
【発明の概要】
【発明が解決しようとする課題】
【０００６】
しかしながら、上記した軒先構造では、横桟部材の下面側に設置された壁部の内部空間に対する換気（壁換気）については特に行われていなかった。または、壁換気は屋根換気とは切離されていた。
【課題を解決するための手段】
【０００７】
上記課題を解決するために、本発明は、屋根部の軒側端部に、横桟部材の内側面を固定し、該横桟部材の下面に壁部の上端部を当接配置すると共に、前記屋根部の軒側端部における前記横桟部材の上部に、屋根部の内部空間を外部へ開放可能な屋根用換気口部を設けた軒先構造において、前記屋根部の軒側端部の周辺に、前記壁部の内部空間を、前記屋根用換気口部またはその近傍へ連通可能な上下連通部を設け、該上下連通部が、前記横桟部材、または、前記屋根部の軒側端部と前記横桟部材の内側面との間の部分に設けられたことを特徴とする。
【発明の効果】
【０００８】
本発明によれば、上記構成によって、以下のような作用効果を得ることができる。即ち、屋根部の軒側端部の周辺に上下連通部を設け、上下連通部が、横桟部材、または、屋根部の軒側端部と横桟部材の内側面との間の部分に設けられるようにしたことにより、壁部の内部空間を屋根用換気口部に連通することが可能となる。
【図面の簡単な説明】
【０００９】
【図１】本発明の実施例にかかる軒先構造を示す断面図である。
【図２】図１の部分拡大図である。
【図３】横桟部材の取付状況を示す斜視図である。
【図４】軒先カバー部材の取付状況を示す斜視図である。
【図５】軒先水返の取付状況を示す斜視図である。
【図６】横桟部材に対するスペーサの取付状況を示す、（ａ）正面図、（ｂ）平面図、（ｃ）側面図である。
【図７】軒樋取付具およびカバー取付具の取付状況を示す斜視図である。
【図８】（ａ）（ｂ）は軒樋取付具に対する軒樋の取付工程を順番に示す側面図である。
【図９】化粧カバーの側板部の斜視図である。
【図１０】化粧カバーの底板部を上側から見た図である。
【発明を実施するための形態】
【００１０】
本発明は、上記した各問題点を解決するために、軒先部分の屋根換気に壁換気を関連付けて設けるよう構成している。
【００１１】
以下、本発明を具体化した実施例を詳細に説明する。
【実施例】
【００１２】
＜構成＞以下、この実施例の構成について説明する。
【００１３】
まず、この実施例にかかる建物について説明する。
【００１４】
この実施例では、上記した建物はユニット住宅とされている。但し、ユニット住宅以外の建物であっても良い。
【００１５】
ここで、ユニット住宅は、予め工場で製造した複数の住宅ユニットをトラックで建築現場へ搬送して、建築現場で住宅ユニットを平面的に並べたり、上下に積重ねたりすることにより、短期間で建物を構築し得るようにしたものである。
【００１６】
上記した住宅ユニットには、鉄骨系のものと木質系のものとが存在するが、この場合には、鉄骨系のものが使用されている。但し、木質系の住宅ユニットであっても良い。
【００１７】
そして、鉄骨系の住宅ユニットは、通常、４本のユニット柱の上端間に、４本の天井梁を矩形状に連結すると共に、上記した４本のユニット柱の下端間に、４本の床梁を矩形状に連結して成る、ボックスラーメン構造のユニットフレームを有している。ここで、ユニット柱には、角型鋼管が使用される。また、天井梁および床梁には、Ｃ型鋼が使用される。
【００１８】
以下、上記を図面に即して説明する。
【００１９】
図１はこの実施例にかかる軒先構造を示す断面図、図２は図１の部分拡大図である。
【００２０】
図１では、下階の住宅ユニット１の上部に、上階の住宅ユニット２が載置された状態を示している。そして、上記した下階の住宅ユニット１に対し、別の下階の住宅ユニット３が隣接して配置された状態を示している。この場合、上記した下階の住宅ユニット１の天井梁１ａの上部に、上階の住宅ユニット２の床梁２ａが設置され、下階の住宅ユニット１の天井梁１ａの側部に、別の下階の住宅ユニット３の天井梁３ａが隣接して設置されている。また、この天井梁３ａの対辺となる天井梁３ｂが所要の間隔を有して設置されている。
【００２１】
そして、上階の住宅ユニット２の側面には、壁部４が垂直に取付けられている。また、別の下階の住宅ユニット３の上面には、屋根部５が軒先側へ向かって緩い下り勾配に取付けられると共に、この別の下階の住宅ユニット３の側面には、壁部６が垂直に取付けられている。この場合、上記した屋根部５は、例えば、別の下階の住宅ユニット３の上面のみに対して部分的に設けられる庇部などとされている。
【００２２】
以上が、この実施例における建物の概略である。
【００２３】
次に、この実施例にかかる軒先構造について説明する。
【００２４】
この実施例にかかる、別の下階の住宅ユニット３の軒先構造は、上記した屋根部５の軒側端部に、横桟部材１１の内側面を固定し、この横桟部材１１の下面に上記した壁部６の上端部を当接配置するようにしている。そして、屋根部５の軒側端部における横桟部材１１の上部に、屋根部５の内部空間５ａを外部へ開放することにより屋根換気が可能な屋根用換気口部１２を設けるようにしている。
【００２５】
ここで、上記した「屋根部５」は、平行な一対の垂木受梁１３と、この垂木受梁１３間に（垂木受梁１３の）長手方向に沿い所要の間隔を有して複数本架設された垂木１４と、この垂木１４の上部に貼設固定された野地板１５とを有する屋根パネル１６を備えている。但し、屋根部５は、屋根パネル１６を使用したものに限られるものではない。そして、上記した屋根部５の内部空間５ａは、図３の斜視図に示すように、主に、隣接する垂木１４の側面間に形成される。
【００２６】
「垂木受梁１３」は、図１に示すように、縦面部１３ａと横面部１３ｂとを有するＬ型鋼によって構成されている。一対の垂木受梁１３の縦面部１３ａはほぼ上方へ向けて互いに平行に配置され、横面部１３ｂは各縦面部１３ａの下端部から互いに向き合うようにほぼ水平に配置されている。一対の垂木受梁１３は、各々上記した天井梁３ａ，３ｂのそれぞれの上部に天井梁３ａ，３ｂと平行に設置されると共に、その横面部１３ｂを、ボルトやナットなどの固定具１３ｃなどを用いて、各天井梁３ａ，３ｂに固定される。
【００２７】
「垂木１４」は、垂木受梁１３の長手方向とほぼ垂直な方向へ向けて延設されると共に、垂木受梁１３の縦面部１３ａにその端部を当接され、横面部１３ｂにその端部下面を直接またはスペーサを介して間接的に載置されている。そして、垂木１４は、垂木受梁１３の縦面部１３ａよりも高さ寸法が大きくなるように構成されており、この垂木受梁１３の縦面部１３ａよりも上に突出した部分に、上記した屋根用換気口部１２が形成されるようになっている。
【００２８】
「野地板１５」の上部には、図４の斜視図に示すように、ルーフィング材１７ａ（防水シート）や、屋根材１７ｂ（鋼板）などの屋根仕上材１７が設置される。
【００２９】
次に、上記した「壁部６」は、図２に示すように、外壁材１８と、内壁材１９とを有している。そして、外壁材１８と、内壁材１９との間の隙間に、上下方向へ延びる内部空間６ａが形成されている。この場合、横桟部材１１の下面には外壁材１８の上端部のみが突き当たるようになっており、内壁材１９の上端部は天井梁３ｂの下面に突き当たるようになっている。
【００３０】
そして、上記した「横桟部材１１」には、木材、樹脂材、金属材などが用いられる。この場合には、木粉（例えば、木質廃材を使用）を樹脂材（例えば、リサイクル樹脂を使用）で固めて成る合成木材が用いられている。横桟部材１１は、図３に示すように、垂木受梁１３の縦面部１３ａに対してドリルネジ１１ａで固定される。
【００３１】
また、上記した「屋根用換気口部１２」には、図４の斜視図に示すような軒先カバー部材２１や、図５の斜視図に示すような軒先水返２２などが取付けられる。この軒先水返２２は、図２に示すように、軒先カバー部材２１の下側に取付けられることにより、軒先カバー部材２１と共に、上記した屋根用換気口部１２から緩い下り勾配を有して外方へ張出す換気用通路２３を構成するようになっている。この換気用通路２３の先端部には、外部に対して下向きに開放する狭い換気口２３ａが形成されている。
【００３２】
ここで、軒先カバー部材２１は、図４に示すように、軒先部分（屋根材１７ｂなど）に対する取付部２１ａと、換気用通路２３の上面を構成する緩い下り勾配の外方張出部２１ｂと、換気口２３ａの外側面を構成すべく外方張出部２１ｂの先端から下方へ屈曲する下降部２１ｃとを有している。また、軒先水返２２は、図５に示すように、軒先部分（横桟部材１１など）に対する取付部２２ａと、換気用通路２３の上面を構成する緩い下り勾配の外方張出部２２ｂと、換気口２３ａの内側面を構成すべく外方張出部２２ｂの先端から上方へ屈曲する上昇部２２ｃとを有している。
【００３３】
そして、上記したような基本構成に対し、この実施例では、以下のような構成を備えるようにしている。
【００３４】
（構成１）
図２に示すように、上記した屋根部５の軒側端部の周辺に、壁部６の内部空間６ａを、屋根用換気口部１２またはその近傍へ連通可能な上下連通部３１を設けるようにする。
【００３５】
なお、屋根用換気口部１２の近傍とは、換気用通路２３の屋根用換気口部１２に近い奥側の部分を意味している。
【００３６】
この上下連通部３１は、例えば、横桟部材１１に対して上下方向へ延びる連通孔を形成することなどによっても得ることができるが、好ましくは以下のようにする。
【００３７】
（構成２）
即ち、図３に示すように、上記した上下連通部３１が、屋根部５の軒側端部と横桟部材１１の内側面との間の部分に介在されたスペーサ３２によって形成されるようにする。
【００３８】
このスペーサ３２は、図６に示すように、横桟部材１１の内側面にビス３２ａで固定して、垂木受梁１３の縦面部１３ａの外側面に対して当接させ得るようにする。この際、ビス３２ａの頭部は、スペーサ３２の表面から突出しないようにする。
【００３９】
更に、スペーサ３２は、少なくとも２本以上の垂木１４の端部と合致する位置に設けて、垂木１４で裏当し得るようにする。
【００４０】
（構成３）
更に、図２に示すように、上記した上下連通部３１に、水滴の通過が不能で且つ湿気の通過が可能な防水透湿材３３を設置する。
【００４１】
この防水透湿材３３には、水滴よりも径が小さく、且つ、湿気の粒よりも径の大きな無数の微細孔を有するシートを用いる。この防水透湿材３３は、上下連通部３１の上部や中間部などに設けることも考えられるが、施工性や機能性などを考慮して、上下連通部３１の下部に設けるようにする。具体的には、防水透湿材３３を粘着テープ状に加工して、別の下階の住宅ユニット３の天井梁３ｂの下面と、横桟部材１１の下面との間に跨がるように貼設する。
【００４２】
（構成４）
そして、上記した横桟部材１１の外側面に、軒樋３５またはこの軒樋３５を覆う化粧カバー３６のうちの少なくとも一方を直接または間接的に取付けるようにする。
【００４３】
ここで、「軒樋３５」は、横桟部材１１の長手方向に沿って延びると共に、底面部３５ａと内側面３５ｂと外側面３５ｃとを有して上側が開放された断面ほぼＵ字状のものとする。この軒樋３５は、図７の斜視図に示すような軒樋取付具３７を用いて横桟部材１１に間接的に取付けられるようにする。
【００４４】
「軒樋取付具３７」は、軒樋３５の長手方向に間隔を有して複数配置された取付ブラケットなどとされる。この軒樋取付具３７は、図２に示すように、横桟部材１１の外側面に対する取付面３７ａと、この取付面３７ａから外方へ向かって延びるアーム部３７ｂとを有している。このアーム部３７ｂの先端上部には、軒樋３５の外側面３５ｃの膨らんだ上端縁部を係止および回動保持可能なフック状をした回動可能係止部３７ｃを備えている。また、アーム部３７ｂの基部近傍下部には、軒樋３５の内側面３５ｂの膨らんだ上端縁部を係止保持可能な爪部３７ｄを備えている。そして、図８（ａ）に示すように、軒樋３５を斜めにして軒樋取付具３７の回動可能係止部３７ｃに、軒樋３５の外側面３５ｃの膨らんだ上端縁部を係止保持させておき、回動可能係止部３７ｃの位置を中心として軒樋３５が水平となるように軒樋３５を回動することにより、図８（ｂ）に示すように、爪部３７ｄに軒樋３５の内側面３５ｂの膨らんだ上端縁部を係止保持させて、軒樋取付具３７に軒樋３５を取付け得るように構成している。
【００４５】
また、図９に示すように、「化粧カバー３６」は、軒樋３５の外側面３５ｃを外側から間隔を有して覆う側板部３６ａと、図１０に示すように、軒樋３５の底面部３５ａを下側から間隔を有して覆う底板部３６ｂとを別個に備えている。この化粧カバー３６は、図７に示すようなカバー取付具３８を用いて横桟部材１１に間接的に取付けられる。
【００４６】
「カバー取付具３８」は、上記した軒樋取付具３７と組合せて同時に横桟部材１１に取付可能な複数の金具（ケラバ受金具）などとされる。このカバー取付具３８は、軒樋取付具３７の取付面３７ａと共に横桟部材１１の外側面にネジで固定される取付部３８ａと、この取付部３８ａから、下方へ延びる下行部３８ｂと、この下行部３８ｂの下端部から外方へ向かってほぼ水平に延びる底辺部３８ｃと、この底辺部３８ｃの外方端部から上方へ向かって延びる上行部３８ｄと、この上行部３８ｄの中間部から軒樋取付具３７の回動可能係止部３７ｃへ向かって延びると共に回動可能係止部３７ｃに係止支持される中間支持部３８ｅとを有する側面視ほぼＬ字状のものとされている。そして、上行部３８ｄに化粧カバー３６の側板部３６ａがネジで固定され、図１０に示すように、底辺部３８ｃの下側に化粧カバー３６の底板部３６ｂがリベットなどを用いて固定されるように構成している。
【００４７】
（構成５）
そして、上記した軒先構造を施工する軒先施工方法は、主に、屋根部５の軒側端部の周辺に上下連通部３１を設けて、壁部６の内部空間６ａを屋根用換気口部１２またはその近傍へ連通可能となるようにする。
【００４８】
また、上下連通部３１に、防水透湿材３３を設置して、上下連通部３１を水滴の通過が不能で且つ湿気の通過が可能なようにする。
【００４９】
より具体的には、以下のように施工する。
【００５０】
先ず、下階の住宅ユニット１と、別の下階の住宅ユニット３とを隣接して配置すると共に、下階の住宅ユニット１の上部に、上階の住宅ユニット２を載置する。
【００５１】
そして、別の下階の住宅ユニット３の上面に、屋根部５（屋根パネル１６、ルーフィング材１７ａ、屋根材１７ｂなど）を取付け、図３に示すように、屋根部５の軒側端部（の垂木受梁１３の縦面部１３ａ）に、横桟部材１１をドリルネジ１１ａで固定する。この際、図６に示すように、横桟部材１１の内側面３５ｂにおける垂木１４の端部と対応する位置には、予め、スペーサ３２をビス固定しておき、横桟部材１１の取付けによって上下連通部３１が形成されるようにする。
【００５２】
そして、図４に示すように、屋根部５の軒側端部の上側部分に、屋根用換気口部１２の上縁部に沿って軒先カバー部材２１を取付けると共に、図５に示すように、屋根用換気口部１２の下縁部に沿って軒先水返２２を取付ける。
【００５３】
次に、防水透湿材３３を粘着テープ状に加工して、別の下階の住宅ユニット３の天井梁３ｂの下面と、横桟部材１１の下面との間に貼設する。
【００５４】
そして、別の下階の住宅ユニット３の天井梁３ｂの下面と、横桟部材１１の下面とに壁部６を取付けて、壁部６の内部空間６ａを、上下連通部３１を介して屋根用換気口部１２へ連通させる。なお、上記した軒先カバー部材２１と軒先水返２２との取付けは、壁部６の取付けよりも後とすることができる。
【００５５】
次に、図７に示すように、横桟部材１１の外側面３５ｃに、軒樋取付具３７とカバー取付具３８とを組合せた状態で取付ける。
【００５６】
最後に、図８に示すように、軒樋取付具３７に軒樋３５を取付け、図９および図１０に示すように、カバー取付具３８に化粧カバー３６を取付ける。
【００５７】
＜作用効果＞この実施例によれば、以下のような作用効果を得ることができる。
【００５８】
（作用効果１）
屋根部５の軒側端部の周辺に上下連通部３１を設けることにより、壁部６の内部空間６ａを屋根用換気口部１２またはその近傍へ連通することが可能となる。
【００５９】
これにより、壁部６の内部空間６ａに溜まった湿気を上下連通部３１を介して屋根用換気口部１２またはその近傍まで導くことが可能となり、屋根用換気口部１２に接続された換気用通路２３を、屋根用換気口部１２と共に使用（共用）することが可能となる。よって、壁部６の内部空間６ａに対する換気口を別途設ける必要を無くして、壁換気構造の簡略化を図ることができるようになり、また、軒先周辺部分をシンプルで意匠性の良い仕上りにすることが可能となる。
【００６０】
（作用効果２）
上下連通部３１をスペーサ３２によって形成することにより、屋根部５の軒側端部および横桟部材１１の形状や構造を簡略化しつつ上下連通部３１を簡単に形成して、壁内換気性能を飛躍的に向上することができる。
【００６１】
（作用効果３）
上下連通部３１に防水透湿材３３を設置したことにより、壁部６の内部空間６ａから外部への湿気の排出が可能な状態を保持しつつ、外部の雨水が、屋根用換気口部１２から上下連通部３１を通って壁部６の内部空間６ａへ侵入するのを確実に防止することができる。
【００６２】
（作用効果４）
横桟部材１１に、軒樋３５または化粧カバー３６のうちの少なくとも一方を直接または間接的に取付けることにより、壁内換気機能を有する横桟部材１１を利用して、軒樋３５または化粧カバー３６のうちの少なくとも一方を、短時間で且つ確実に取付けることが可能となる。
【００６３】
（作用効果５）
この実施例の軒先施工方法によれば、上記（作用効果１）ないし（作用効果４）と同様の作用効果を得ることができる。
【００６４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６５】
５    屋根部
５ａ  内部空間
６    壁部
６ａ  内部空間
１１  横桟部材
１２  屋根用換気口部
３１  上下連通部
３２  スペーサ
３３  防水透湿材
３５  軒樋
３６  化粧カバー
【図１】
0005694791.tif 000002
【図２】
0005694791.tif 000003
【図３】
0005694791.tif 000004
【図４】
0005694791.tif 000005
【図５】
0005694791.tif 000006
【図６】
0005694791.tif 000007
【図７】
0005694791.tif 000008
【図８】
0005694791.tif 000009
【図９】
0005694791.tif 000010
【図１０】
0005694791.tif 000011